(57)【特許請求の範囲】
【請求項１】
第１の断層像撮影位置でテストスキャンして造影剤の到達時間を得ると共に第２の断層像撮影位置でテストスキャンして造影剤の到達時間を得るテストスキャン手段と、
前記到達時間を基に造影剤の移動速度を算出し該移動速度に合わせて断層像撮影位置を移動する撮影プロトコルを設定する撮影プロトコル設定手段と、
前記撮影プロトコルにより造影剤を注入した本スキャンを行う本スキャン手段とを具備したことを特徴とする断層像撮影装置。
【請求項２】
請求項１に記載の断層像撮影装置において、
前記テストスキャン手段は、被検体に造影剤を注入し、前記第１および第２の断層像撮影位置の一方でテストスキャンし、前記一方の位置への造影剤の到達時間を得た後、被検体に再び造影剤を注入し、前記第１および第２の断層像撮影位置の他方へ移動してテストスキャンし、前記他方の位置への造影剤の到達時間を得ることを特徴とする断層像撮影装置。
【請求項３】
請求項１または請求項２に記載の断層像撮影装置において、
前記テストスキャン手段は、被検体に造影剤を注入し、前記第１の断層像撮影位置に設けたデテクタおよび前記第２の断層像撮影位置に設けたデテクタを用いてテストスキャンし、前記第１の断層像撮影位置への前記造影剤の到達時間および前記第２の断層像撮影位置への前記造影剤の到達時間を得ることを特徴とする断層像撮影装置。
【請求項４】
請求項１から請求項３のいずれか一項に記載の断層像撮影装置において、
前記第１の断層像撮影位置は、血流の上流位置および下流位置の一方であり、前記第２の断層像撮影位置は、血流の前記上流位置および下流位置の他方であることを特徴とする断層像撮影装置。
【請求項５】
請求項４に記載の断層像撮影装置において、
前記上流位置が心臓近傍の位置であり、前記下流位置が下腹部または脚部の位置であることを特徴とする断層像撮影装置。
【請求項６】
請求項４に記載の断層像撮影装置において、
前記上流位置が心臓近傍の位置であり、前記下流位置が頸部または頭部の位置であることを特徴とする断層像撮影装置。
【請求項７】
３カ所以上でテストスキャンして各位置への造影剤の到達時間を得るテストスキャン手段と、
前記到達時間を基に造影剤の移動速度関数を算出し該移動速度関数に合わせて断層像撮影位置を移動する撮影プロトコルを設定する撮影プロトコル設定手段と、
前記撮影プロトコルにより造影剤を注入した本スキャンを行う本スキャン手段とを具備したことを特徴とする断層像撮影装置。
【請求項８】
請求項７に記載の断層像撮影装置において、
前記テストスキャン手段は、被検体に造影剤を注入し、血流のある位置でテストスキャンし、その位置への造影剤の到達時間を得た後、被検体に再び造影剤を注入し、別の位置へ移動してテストスキャンし、その位置への造影剤の到達時間を得ることを、３カ所以上で繰り返すことを特徴とする断層像撮影装置。
【請求項９】
請求項８に記載の断層像撮影装置において、
前記テストスキャン手段は、被検体に造影剤を注入し、血流の３カ所以上に設けたデテクタを用いてテストスキャンし、各位置への前記造影剤の到達時間を得ることを特徴とする断層像撮影装置。
【請求項１０】
請求項１から請求項９のいずれか一項に記載の断層像撮影装置において、
該断層像撮影装置がＸ線ＣＴ装置であることを特徴とする断層像撮影装置。
【発明の詳細な説明】
【技術分野】
【０００１】
本発明は、断層像撮影方法および断層像撮影装置に関し、さらに詳しくは、被検体に注入する造影剤量を削減することが出来る断層像撮影方法および断層像撮影装置に関する。
【背景技術】
【０００２】
従来、被検体に造影剤を注入し、血流の上流位置と下流位置でスキャンし、上流位置への造影剤の到達時間と下流位置への造影剤の到達時間とを得て、それらを基に血流の移動速度を算出する流れの測定方法が知られている（例えば、特許文献１参照。）。
【０００３】
【特許文献１】特開平１０−２８６２５２号公報
【発明の開示】
【発明が解決しようとする課題】
【０００４】
上記従来の流れの測定方法は、流れの速度や方向を測定することを目的としたものであり、造影剤量の削減については全く考慮されていない。
さて、造影剤を血管に注入し、血管を流れる造影剤を追うように断層像撮影位置を移動して撮影を繰り返す断層像撮影方法において、造影剤の移動速度と断層像撮影位置の移動速度にズレがあるため、この速度のズレを補償できるように造影剤量を多くすることが行われている。
しかし、造影剤量を多くすることは被検体に負担をかける問題点がある。
そこで、本発明の目的は、血管を流れる造影剤を追うように断層像撮影位置を移動して撮影を繰り返す断層像撮影において、被検体に注入する造影剤量を削減することが出来る断層像撮影方法および断層像撮影装置を提供することにある。
【課題を解決するための手段】
【０００５】
第１の観点では、本発明は、被検体に造影剤を注入し、血流の上流位置と下流位置でテストスキャンし、前記上流位置への前記造影剤の到達時間と前記下流位置への前記造影剤の到達時間とを得て、それらを基に求めうる造影剤の移動速度に合わせて断層像撮影位置を移動させながら造影剤を注入した本スキャンを行うことを特徴とする断層像撮影方法を提供する。
上記第１の観点による断層像撮影方法では、造影剤の移動速度を正確に測定し、その正確に測定した造影剤の移動速度に合わせた速度で断層像撮影位置を移動させるから、造影剤の移動速度と断層像撮影位置の移動速度のズレを小さく出来る。従って、この速度のズレを補償できるような造影剤量は、従来より少なくて済む。よって、被検体への負担を軽減できる。
【０００６】
第２の観点では、本発明は、前記第１の観点による断層像撮影方法において、被検体に造影剤を注入し、血流の上流位置または下流位置の一方でテストスキャンし、前記一方の位置への造影剤の到達時間を得た後、被検体に再び造影剤を注入し、血流の前記上流位置または下流位置の他方へ移動してテストスキャンし、前記他方の位置への造影剤の到達時間を得ることを特徴とする断層像撮影方法を提供する。
上記第２の観点による断層像撮影方法では、造影剤を注入したテストスキャンを２回行う必要があるが、マルチデテクタを用いずに済む。
【０００７】
第３の観点では、本発明は、前記第２の観点による断層像撮影方法において、前記上流位置が心臓近傍の位置であり、前記下流位置が下腹部または脚部の位置であることを特徴とする断層像撮影方法を提供する。
上記第３の観点による断層像撮影方法では、被検体の胸部から脚部側を好適に本スキャンすることが出来る。
【０００８】
第４の観点では、本発明は、前記第２の観点による断層像撮影方法において、前記上流位置が心臓近傍の位置であり、前記下流位置が頸部または頭部の位置であることを特徴とする断層像撮影方法を提供する。
上記第４の観点による断層像撮影方法では、被検体の胸部から頭部側を好適に本スキャンすることが出来る。
【０００９】
第５の観点では、本発明は、前記第１の観点による断層像撮影方法において、被検体に造影剤を注入し、血流の上流位置に設けたデテクタおよび下流位置に設けたデテクタを用いてテストスキャンし、前記上流位置への前記造影剤の到達時間および前記下流位置への前記造影剤の到達時間を得ることを特徴とする断層像撮影方法を提供する。
上記第５の観点による断層像撮影方法では、マルチデテクタを用いる必要があるが、造影剤を注入したテストスキャンを１回だけ行えば済む。
【００１０】
第６の観点では、本発明は、被検体に造影剤を注入し、血流の３カ所以上でテストスキャンし、各位置への前記造影剤の到達時間を得て、それらを基に求めうる造影剤の移動速度関数に合わせて断層像撮影位置を移動させながら造影剤を注入した本スキャンを行うことを特徴とする断層像撮影方法を提供する。
上記第６の観点による断層像撮影方法では、造影剤の移動速度関数（場所による移動速度の変化を表す関数）を正確に測定し、その正確に測定した造影剤の移動速度関数に合わせた速度で断層像撮影位置を移動させるから、造影剤の移動速度と断層像撮影位置の移動速度のズレを小さく出来る。従って、この速度のズレを補償できるような造影剤量は、従来より少なくて済む。よって、被検体への負担を軽減できる。
【００１１】
第７の観点では、本発明は、前記第６の観点による断層像撮影方法において、被検体に造影剤を注入し、血流のある位置でテストスキャンし、その位置への造影剤の到達時間を得た後、被検体に再び造影剤を注入し、別の位置へ移動してテストスキャンし、その位置への造影剤の到達時間を得ることを、３カ所以上で繰り返すことを特徴とする断層像撮影方法を提供する。
上記第７の観点による断層像撮影方法では、造影剤を注入したテストスキャンを３回以上行う必要があるが、マルチデテクタを用いずに済む。
【００１２】
第８の観点では、本発明は、前記第６の観点による断層像撮影方法において、被検体に造影剤を注入し、血流の３カ所以上に設けたデテクタを用いてテストスキャンし、各位置への前記造影剤の到達時間を得ることを特徴とする断層像撮影方法を提供する。
上記第８の観点による断層像撮影方法では、マルチデテクタを用いる必要があるが、造影剤を注入したテストスキャンを１回だけ行えば済む。
【００１３】
第９の観点では、本発明は、第１の断層像撮影位置でテストスキャンして造影剤の到達時間を得ると共に第２の断層像撮影位置でテストスキャンして造影剤の到達時間を得るテストスキャン手段と、前記到達時間を基に求めうる造影剤の移動速度に合わせて断層像撮影位置を移動する撮影プロトコルを設定する撮影プロトコル設定手段と、前記撮影プロトコルにより造影剤を注入した本スキャンを行う本スキャン手段とを具備したことを特徴とする断層像撮影装置を提供する。
上記第９の観点による断層像撮影装置では、上記第１の観点による断層像撮影方法を好適に実施できる。
【００１４】
第１０の観点では、本発明は、３カ所以上でテストスキャンして各位置への造影剤の到達時間を得るテストスキャン手段と、前記到達時間を基に求めうる造影剤の移動速度関数に合わせて断層像撮影位置を移動する撮影プロトコルを設定する撮影プロトコル設定手段と、前記撮影プロトコルにより造影剤を注入した本スキャンを行う本スキャン手段とを具備したことを特徴とする断層像撮影装置を提供する。
上記第１０の観点による断層像撮影装置では、上記第６の観点による断層像撮影方法を好適に実施できる。
【００１５】
第１１の観点では、本発明は、前記第９または前記第１０の観点による断層像撮影装置において、該断層像撮影装置がＸ線ＣＴ（Computed Tomography）装置であることを特徴とする断層像撮影装置を提供する。
上記第１１の観点による断層像撮影装置では、血管を流れる造影剤を追うように断層像撮影位置を直線移動して撮影を繰り返すヘリカルスキャンを好適に実施できる。
【発明の効果】
【００１６】
本発明の断層像撮影方法および断層像撮影装置によれば、血管を流れる造影剤を追うように断層像撮影位置を移動して撮影を繰り返す断層像撮影において、被検体に注入する造影剤量を削減することが出来る。
【発明を実施するための最良の形態】
【００１７】
以下、図に示す実施の形態により本発明をさらに詳細に説明する。なお、これにより本発明が限定されるものではない。
【実施例１】
【００１８】
図１は、実施例１にかかるＸ線ＣＴ装置１００の構成ブロック図である。
このＸ線ＣＴ装置１００は、操作コンソール１と、テーブル装置１０と、走査ガントリ２０とを具備している。
【００１９】
操作コンソール１は、操作者の入力を受け付ける入力装置２と、画像再構成処理などを実行する中央処理装置３と、走査ガントリ２０で取得した投影データを収集するデータ収集バッファ５と、投影データから再構成した断層像を表示する表示装置６と、プログラムやデータやＸ線断層像を記憶する記憶装置７とを具備している。
【００２０】
テーブル装置１０は、被検体を乗せて走査ガントリ２０のボア（空洞部）に入れ出しするクレードル１２を具備している。クレードル１２は、テーブル装置１０に内蔵するモータで昇降（ｙ軸方向）および直線移動（ｚ軸方向）される。
【００２１】
走査ガントリ２０は、Ｘ線管２１と、Ｘ線コントローラ２２と、コリメータ２３と、多列Ｘ線検出器２４と、ＤＡＳ（Data Acquisition System）２５と、被検体の体軸の回りにＸ線管２１などを回転させる回転コントローラ２６と、走査ガントリ２０を回転軸の前方または後方に傾斜させるときの制御を行うチルトコントローラ２７と、制御信号などを操作コンソール１や寝台装置１０とやり取りする制御コントローラ２９と、スリップリング３０とを具備している。
【００２２】
クレードル１２の直線移動量はテーブル装置１０に内蔵するエンコーダによりカウントされ、制御コントローラ２９にて直線移動量からクレードル１２のｚ軸座標を算出し、スリップリング３０を経由してＤＡＳ２５にｚ軸座標が送られる。
【００２３】
多列Ｘ線検出器２４で得られた投影データは、ＤＡＳ２５でＡＤ変換され、ｚ軸座標を付加され、スリップリング３０を経由し、データ収集バッファ５へ転送される。
【００２４】
中央処理装置３は、データ収集バッファ５に収集した投影データに対して、前処理および画像再構成処理を行ない、断層像を生成し、断層像を表示装置６に表示する。
【００２５】
図２は、Ｘ線ＣＴ装置１００を用いた実施例１に係る第１テストスキャンの手順を示すフロー図である。
ステップＡ１では、Ｘ線ＣＴ装置１００で、図６に示すように、動脈ａの上流位置（例えば心臓の少し下）ｚ１でスキャンして断層像Ｓ１を再構成することを連続的に行っておく。
ステップＡ２では、操作者は、図６に示すように、動脈ａの注入点（例えば腕の動脈）ＩＰに造影剤を注入する。
【００２６】
ステップＡ３では、Ｘ線ＣＴ装置１００の中央処理装置３で、図７に示すように、断層像Ｓ１から造影剤の通過を検出し、到達時間Ｔ１を得る。ここで、到達時間Ｔ１は、造影剤の注入時間Ｗの中央から上流位置ｚ１を造影剤が通過する時間幅の中央までの値としている。造影剤の注入時間Ｗは、注入する造影剤量に応じた長さになる。
なお、図７の横軸は時間であり、縦軸は造影剤検出信号の有無を表している。
【００２７】
図３は、Ｘ線ＣＴ装置１００を用いた実施例１に係る第２テストスキャンの手順を示すフロー図である。
ステップＡ４では、Ｘ線ＣＴ装置１００で、図６に示すように、動脈ａの下流位置（例えば下腹部や太腿部）ｚ２でスキャンして断層像Ｓ２を再構成することを連続的に行っておく。
ステップＡ５では、操作者は、図６に示すように、動脈ａの注入点（例えば腕の動脈）ＩＰに造影剤を注入する。
【００２８】
ステップＡ６では、Ｘ線ＣＴ装置１００の中央処理装置３で、図８に示すように、断層像Ｓ２から造影剤の通過を検出し、到達時間Ｔ２を得る。ここでは、到達時間Ｔ２は、造影剤の注入時間Ｗの中央から下流位置ｚ２を造影剤が通過する時間幅の中央までの値としている。
【００２９】
図４は、Ｘ線ＣＴ装置１００による実施例１に係る撮影プロトコル設定処理を示すフロー図である。
ステップＡ７では、Ｘ線ＣＴ装置１００の中央処理装置３で、造影剤の移動速度Ｖを算出する。
Ｖ＝（Ｔ２−Ｔ１）／（ｚ２−ｚ１）
ステップＡ８では、Ｘ線ＣＴ装置１００の中央処理装置３で、造影剤の移動速度Ｖに合ったクレードル１２の直線移動速度を持つ撮影プロトコルを設定する。例えば、多列Ｘ線検出器２４のｚ軸方向の幅をｄとし、ヘリカルピッチをＰとし、回転速度をＲとするとき、プリセットされた複数の撮影プロトコルの中から直線移動速度Ｖ’＝ｄ×Ｐ／Ｒが造影剤の移動速度Ｖに最も近いものを選択する。なお、直線移動速度Ｖ’＝造影剤の移動速度Ｖとなるように、ｄ，Ｐ，Ｒの組み合わせを設定してもよい。
【００３０】
図５は、Ｘ線ＣＴ装置１００を用いた本スキャンの手順を示すフロー図である。
ステップＡ９では、Ｘ線ＣＴ装置１００は、図５に示す上流位置ｚ１からヘリカルスキャンを開始できる状態で待機する。
ステップＡ１０では、操作者は、図５に示す動脈ａの注入点ＩＰに造影剤を注入する。
ステップＡ１１では、造影剤の注入から時間Ｔ１経過後より、設定された撮影プロトコルで、図５に示す上流位置ｚ１から下流位置ｚ２へ向けてヘリカルスキャンを行う。
【００３１】
実施例１によれば、造影剤の移動速度Ｖを正確に測定し、その正確に測定した造影剤の移動速度Ｖに合わせた速度Ｖ’で断層像撮影位置を移動させるから、造影剤の移動速度Ｖと断層像撮影位置の移動速度Ｖ’のズレを小さく出来る。従って、この速度のズレを補償できるような造影剤量は従来より少なくて済む（図７，図８のＷが従来より小さくても済む）。よって、被検体への負担を軽減できる。なお、上流位置ｚ１から下流位置ｚ２までの距離を大きくとれるから、造影剤の移動速度Ｖを正確に測定できる利点もある。
【実施例２】
【００３２】
図９は、Ｘ線ＣＴ装置１００を用いた実施例２に係るテストスキャンの手順を示すフロー図である。
ステップＢ１では、Ｘ線ＣＴ装置１００で、図１０に示すように、多列Ｘ線検出器２４の動脈ａの上流側位置ｚ１のデテクタ＃１および下流側位置ｚ２のデテクタ＃ＪだけにＸ線ビームＣＢが照射されるようにコリメータ２３ａ，２３ｂ，２３ｃを位置決めし、スキャンして、デテクタ＃１の投影データから断層像Ｓ１を再構成し、デテクタ＃Ｊの投影データから断層像Ｓ２を再構成することを連続的に行っておく。
【００３３】
ステップＢ２では、操作者は、図６に示すように、動脈ａの注入点ＩＰに造影剤を注入する。
【００３４】
ステップＢ３では、Ｘ線ＣＴ装置１００の中央処理装置３で、図１１に示すように、断層像Ｓ１から造影剤の通過を検出し、到達時間Ｔ１を得る。また、断層像Ｓ２から造影剤の通過を検出し、到達時間Ｔ２を得る。
【００３５】
撮影プロトコル設定および本スキャンは、実施例１と同様である。
【００３６】
実施例２によれば、造影剤の移動速度Ｖを正確に測定し、その正確に測定した造影剤の移動速度Ｖに合わせた速度Ｖ’で断層像撮影位置を移動させるから、造影剤の移動速度Ｖと断層像撮影位置の移動速度Ｖ’のズレを小さく出来る。従って、この速度のズレを補償できるような造影剤量は従来より少なくて済む。よって、被検体への負担を軽減できる。なお、テストスキャンを１回だけ行えばよい利点もある。
【実施例３】
【００３７】
図１２は、Ｘ線ＣＴ装置１００を用いた実施例３に係る第１テストスキャンの手順を示すフロー図である。
ステップＣ１では、Ｘ線ＣＴ装置１００で、図１６に示すように、動脈ａの上流位置（例えば心臓の少し下）ｚ１でスキャンして断層像Ｓ１を再構成することを連続的に行っておく。
ステップＣ２では、操作者は、図１６に示すように、動脈ａの注入点（例えば腕の動脈）ＩＰに造影剤を注入する。
ステップＣ３では、Ｘ線ＣＴ装置１００の中央処理装置３で、図１７に示すように、断層像Ｓ１から造影剤の通過を検出し、到達時間Ｔ１を得る。
【００３８】
図１３は、Ｘ線ＣＴ装置１００を用いた実施例３に係る第２テストスキャンの手順を示すフロー図である。
ステップＣ４では、Ｘ線ＣＴ装置１００で、図１６に示すように、動脈ａの中流位置（例えば下腹部）ｚ２でスキャンして断層像Ｓ２を再構成することを連続的に行っておく。
ステップＣ５では、操作者は、図１６に示すように、動脈ａの注入点（例えば腕の動脈）ＩＰに造影剤を注入する。
ステップＣ６では、Ｘ線ＣＴ装置１００の中央処理装置３で、図１８に示すように、断層像Ｓ２から造影剤の通過を検出し、到達時間Ｔ２を得る。
【００３９】
図１４は、Ｘ線ＣＴ装置１００を用いた実施例３に係る第３テストスキャンの手順を示すフロー図である。
ステップＣ７では、Ｘ線ＣＴ装置１００で、図１６に示すように、動脈ａの下流位置（例えば太腿部）ｚ３でスキャンして断層像Ｓ３を再構成することを連続的に行っておく。
ステップＣ８では、操作者は、図１６に示すように、動脈ａの注入点（例えば腕の動脈）ＩＰに造影剤を注入する。
ステップＣ９では、Ｘ線ＣＴ装置１００の中央処理装置３で、図１９に示すように、断層像Ｓ３から造影剤の通過を検出し、到達時間Ｔ３を得る。
【００４０】
図１５は、Ｘ線ＣＴ装置１００による実施例３に係る撮影プロトコル設定処理を示すフロー図である。
ステップＣ１０では、Ｘ線ＣＴ装置１００の中央処理装置３で、図２０に示すように造影剤の移動速度関数ｆ(z)を求める。
ステップＣ１１では、Ｘ線ＣＴ装置１００の中央処理装置３で、造影剤の移動速度関数ｆ(z)に合わせてクレードル１２の直線移動速度を変化させる撮影プロトコルを設定する。例えば、多列Ｘ線検出器２４のｚ軸方向の幅をｄとし、ヘリカルピッチをＰ(z)とし、回転速度をＲとするとき、Ｐ(z)＝ｆ(z)×Ｒ／ｄとなるような可変ヘリカルピッチの撮影プロトコルとする。
【００４１】
本スキャンは、実施例１と同様である（但し、可変ヘリカルピッチとする）。
【００４２】
実施例３によれば、造影剤の移動速度関数ｆ(z)を正確に測定し、その正確に測定した造影剤の移動速度関数ｆ(z)に合わせた速度で断層像撮影位置を移動させるから、造影剤の移動速度と断層像撮影位置の移動速度のズレを小さく出来る。従って、この速度のズレを補償できるような造影剤量は従来より少なくて済む。よって、被検体への負担を軽減できる。また、上流位置ｚ１，中流位置ｚ２，下流位置ｚ３の間の距離を大きくとれるから、造影剤の移動速度関数ｆ(z)を正確に測定できる利点もある。
なお、血流は心臓から遠くなるほど遅くなるので、移動速度関数ｆ(z)は非線形になる。従って、線形とみなしている実施例１や実施例２よりも造影剤の移動速度と断層像撮影位置の移動速度のズレを小さく出来、さらに造影剤量は少なくて済む。
【実施例４】
【００４３】
図２１は、Ｘ線ＣＴ装置１００を用いた実施例４に係るテストスキャンの手順を示すフロー図である。
ステップＤ１では、Ｘ線ＣＴ装置１００で、図２２に示すように、多列Ｘ線検出器２４の動脈ａの上流側位置ｚ１のデテクタ＃１と下流側位置ｚ３のデテクタ＃Ｊと中間位置ｚ２のデテクタ＃Ｊ／２だけにＸ線ビームＣＢが照射されるようにコリメータ２３ａ，２３ｂ，２３ｄ，２３ｅを位置決めし、スキャンして、デテクタ＃１の投影データから断層像Ｓ１を再構成し、デテクタ＃Ｊ／２の投影データから断層像Ｓ２を再構成し、デテクタ＃Ｊの投影データから断層像Ｓ３を再構成することを連続的に行っておく。
【００４４】
ステップＤ２では、操作者は、図１６に示すように、動脈ａの注入点ＩＰに造影剤を注入する。
【００４５】
ステップＤ３では、Ｘ線ＣＴ装置１００の中央処理装置３で、図２３に示すように、断層像Ｓ１から造影剤の通過を検出し、到達時間Ｔ１を得る。また、断層像Ｓ２から造影剤の通過を検出し、到達時間Ｔ２を得る。さらに、断層像Ｓ３から造影剤の通過を検出し、到達時間Ｔ３を得る。
【００４６】
撮影プロトコル設定および本スキャンは、実施例３と同様である。
【００４７】
実施例４によれば、造影剤の移動速度関数ｆ(z)を正確に測定し、その正確に測定した造影剤の移動速度関数ｆ(z)に合わせた速度で断層像撮影位置を移動させるから、造影剤の移動速度と断層像撮影位置の移動速度のズレを小さく出来る。従って、この速度のズレを補償できるような造影剤量は従来より少なくて済む。よって、被検体への負担を軽減できる。また、テストスキャンを１回だけ行えばよい利点もある。
なお、血流は心臓から遠くなるほど遅くなるので、移動速度関数ｆ(z)は非線形になる。従って、線形とみなしている実施例１や実施例２よりも造影剤の移動速度と断層像撮影位置の移動速度のズレを小さく出来、さらに造影剤量は少なくて済む。
【産業上の利用可能性】
【００４８】
本発明の断層像撮影方法および断層像撮影装置は、造影剤を用いた断層像撮影に利用できる。
【図面の簡単な説明】
【００４９】
【図１】実施例１に係るＸ線ＣＴ装置を示すブロック図である。
【図２】実施例１に係る第１テストスキャンの手順を示すフロー図である。
【図３】実施例１に係る第２テストスキャンの手順を示すフロー図である。
【図４】実施例１に係る撮影プロトコル設定処理の手順を示すフロー図である。
【図５】実施例１に係る本スキャンの手順を示すフロー図である。
【図６】実施例１に係る動脈と断層面の位置関係を示す模式図である。
【図７】実施例１に係る上流位置への造影剤の到達時間を示すタイムチャートである。
【図８】実施例１に係る下流位置への造影剤の到達時間を示すタイムチャートである。
【図９】実施例２に係るテストスキャンの手順を示すフロー図である。
【図１０】実施例２に係る上流位置のデテクタと下流位置のデテクタを示す模式図である。
【図１１】実施例２に係る上流位置および下流位置への造影剤の到達時間を示すタイムチャートである。
【図１２】実施例３に係る第１テストスキャンの手順を示すフロー図である。
【図１３】実施例３に係る第２テストスキャンの手順を示すフロー図である。
【図１４】実施例３に係る第３テストスキャンの手順を示すフロー図である。
【図１５】実施例３に係る撮影プロトコル設定処理の手順を示すフロー図である。
【図１６】実施例３に係る動脈と断層面の位置関係を示す模式図である。
【図１７】実施例３に係る上流位置への造影剤の到達時間を示すタイムチャートである。
【図１８】実施例３に係る中流位置への造影剤の到達時間を示すタイムチャートである。
【図１９】実施例３に係る下流位置への造影剤の到達時間を示すタイムチャートである。
【図２０】実施例３に係る造影剤の移動速度関数を示す概念図である。
【図２１】実施例４に係るテストスキャンの手順を示すフロー図である。
【図２２】実施例４に係る上流位置のデテクタと中流位置のデテクタと下流位置のデテクタを示す模式図である。
【図２３】実施例４に係る上流位置，中流位置および下流位置への造影剤の到達時間を示すタイムチャートである。
【符号の説明】
【００５０】
１          操作コンソール
２          入力装置
３          中央処理装置
５          データ収集バッファ
６          表示装置
７          記憶装置
１０        テーブル装置
１２        クレードル
２０        走査ガントリ
２１        Ｘ線管
２２        Ｘ線コントローラ
２３        コリメータ
２４        Ｘ線検出器
２５        ＤＡＳ（データ収集装置）
２６        回転部コントローラ
２７        チルトコントローラ
２９        制御コントローラ
３０        スリップリング
【図１】
0004701063.tif 000002
【図２】
0004701063.tif 000003
【図３】
0004701063.tif 000004
【図４】
0004701063.tif 000005
【図５】
0004701063.tif 000006
【図６】
0004701063.tif 000007
【図７】
0004701063.tif 000008
【図８】
0004701063.tif 000009
【図９】
0004701063.tif 000010
【図１０】
0004701063.tif 000011
【図１１】
0004701063.tif 000012
【図１２】
0004701063.tif 000013
【図１３】
0004701063.tif 000014
【図１４】
0004701063.tif 000015
【図１５】
0004701063.tif 000016
【図１６】
0004701063.tif 000017
【図１７】
0004701063.tif 000018
【図１８】
0004701063.tif 000019
【図１９】
0004701063.tif 000020
【図２０】
0004701063.tif 000021
【図２１】
0004701063.tif 000022
【図２２】
0004701063.tif 000023
【図２３】
0004701063.tif 000024